(57)【要約】【課題】ユーザが時計等を確認することなく、原水が浄化されている間の経過時間を知る。【解決手段】液体格納容器１０は、本体部３と、本体部３の上部側に位置し、原水を貯留する原水貯留部１と、原水貯留部１の下部に設けられ、浄水カートリッジ９を保持する保持部４と、浄水カートリッジ９を通過した浄水の量に応じた浄化時間を呈示する呈示部（仕切り板７）とを備えている。【選択図】図１
2020032374.tif 000002
【特許請求の範囲】
【請求項１】
本体部と、
前記本体部の上部側に位置し、浄化する前の原水を貯留する原水貯留部と、
前記原水貯留部の下部に設けられ、前記原水を浄化するための浄水カートリッジを保持する保持部と、
前記浄水カートリッジを通過した浄水の量に応じた浄化時間を呈示する呈示部と
を備えていることを特徴とする液体格納容器。
【請求項２】
前記本体部において、前記原水貯留部の下に位置する底側は、前記原水貯留部から前記浄水カートリッジを通過して浄化された浄水が貯留される貯留部となっており、
前記呈示部は、前記貯留部の空間を複数の領域に仕切る仕切り板であり、
前記保持部は、前記浄水カートリッジを通過した浄水を前記貯留部に流出させる流出口を有しており、当該流出口から、いずれか１つの前記領域に向けて浄水を流出させる位置に配置されている
ことを特徴とする請求項１に記載の液体格納容器。
【請求項３】
前記仕切り板は、前記本体部の底に垂直に設けられていることを特徴とする請求項２に記載の液体格納容器。
【請求項４】
高さの異なる複数の前記仕切り板を有していることを特徴とする請求項２又は３に記載の液体格納容器。
【請求項５】
前記仕切り板は、前記貯留部の空間を上下方向に複数の領域に仕切り、上側の前記領域と下側の前記領域との間で浄水を通過させる連通部を形成するように設けられていることを特徴とする請求項２に記載の液体格納容器。
【請求項６】
前記仕切り板は、設置位置を変更可能なように設けられていることを特徴とする請求項２〜５の何れか１項に記載の液体格納容器。
【請求項７】
前記本体部の上部を覆うカップをさらに備えていることを特徴とする請求項１〜６の何れか１項に記載の液体格納容器。
【請求項８】
前記カップに、水を計量する目盛りが設けられていることを特徴とする請求項７に記載の液体格納容器。
【請求項９】
前記呈示部は、前記浄水カートリッジを通過した浄水の量に応じた浄化時間を示す目盛りであることを特徴とする請求項１に記載の液体格納容器。
【請求項１０】
請求項１〜９のいずれか１項に記載の液体格納容器と、
前記液体格納容器の蓋と、
前記保持部に保持された浄水カートリッジと
を備えた浄水器。
【発明の詳細な説明】
【技術分野】
【０００１】
本発明は、水を格納するための液体格納容器に関する。
【背景技術】
【０００２】
水道水等の原水を浄化して浄水を貯留するための、浄水機能付きのポット、ピッチャー等の液体格納容器が従来技術として知られている。従来、このような液体格納容器には、浄化された浄水の量が分かるように、浄水量を示す目盛りが浄水を貯留する容器部分に設けられている。このような、浄水機能付きのポット（ポット型浄水器又はピッチャー型浄水器）としては、例えば、非特許文献１に記載のポットが挙げられる。
【先行技術文献】
【非特許文献】
【０００３】
【非特許文献１】BRITAナヴェリア製品案内、[online]、[2016年5月19日検索]、インターネット（http://www.brita.co.jp/brita/jp-jp/cms/jug/jp_navelia.grid?id=jp_1009933&nid=cpd_explore_pitcher-jp_navelia）
【発明の概要】
【発明が解決しようとする課題】
【０００４】
浄水機能付きのポットは、浄水カートリッジ内を通過させることで原水を浄化し、浄化された浄水を貯留する。したがって、原水が浄化されて所望の量の浄水が溜まるまで一定の時間を要し、その間にユーザは他の作業に従事することができる。したがって、ユーザが時計等を確認することなく、原水が浄化されている間の経過時間を知ることができれば、他の作業に従事していた時間を容易に確認することができ有益である。
【０００５】
非特許文献１の浄水機能付きのポットでは、目盛りによりポット内に溜まった浄水の量を知ることはできるが、原水が浄化されている間の経過時間を知ることはできない。
【０００６】
本発明は、前記の問題点に鑑みてなされたものであり、その目的は、ユーザが時計等を確認することなく、原水が浄化されている間の経過時間を知ることができる、浄水機能付きの液体格納容器を実現することにある。
【課題を解決するための手段】
【０００７】
上記の課題を解決するために、本発明に係る液体格納容器は、本体部と、前記本体部の上部側に位置し、浄化する前の原水を貯留する原水貯留部と、前記原水貯留部の下部に設けられ、前記原水を浄化するための浄水カートリッジを保持する保持部と、前記浄水カートリッジを通過した浄水の量に応じた浄化時間を呈示する呈示部とを備えている。
【０００８】
本発明に係る浄水器は、上記の課題を解決するために、本発明に係る液体格納容器と、前記液体格納容器の蓋と、前記保持部に保持された浄水カートリッジとを備えている。
【発明の効果】
【０００９】
本発明は、浄水カートリッジを通過した浄水の量に応じた浄化時間を呈示する呈示部を有しているので、ユーザが時計等を確認することなく、原水が浄化されている間の経過時間を知ることができるという効果を奏する。
【図面の簡単な説明】
【００１０】
【図１】本発明の実施形態１に係る液体格納容器の概略を示す模式図である。
【図２】本発明の変形例に係る液体格納容器の概略を示す模式図である。
【図３】本発明の他の変形例に係る液体格納容器の概略を示す模式図である。
【図４】本発明の実施形態２に係る液体格納容器の概略を示す模式図である。
【図５】本発明の実施形態２に係る液体格納容器に設けられた仕切り板を説明する模式図である。
【図６】本発明の変形例に係る仕切り板を説明する模式図である。
【図７】本発明の実施形態３に係る液体格納容器の概略を示す模式図である。
【図８】本発明の実施形態３に係る液体格納容器に設けられた仕切り板を説明する模式図である。
【図９】本発明の変形例に係る液体格納容器の概略を示す模式図である。
【図１０】本発明の変形例に係る液体格納容器に設けられた仕切り板を説明する模式図である。
【図１１】本発明の実施形態４に係る液体格納容器の概略を示す模式図である。
【図１２】本発明の実施形態５に係る液体格納容器の概略を示す模式図である。
【発明を実施するための形態】
【００１１】
［液体格納容器］
〔実施形態１〕
本発明に係る液体格納容器の一実施形態について、図１を参照して以下説明する。図１は、本発明の実施形態１に係る液体格納容器１０の概略を示す模式図である。
【００１２】
図１に示すように、液体格納容器１０は、本体部３を備えている。本体部３の上部には、浄化する前の原水を貯留する原水貯留部１が嵌め込まれている。原水貯留部１の下部には、原水貯留部１に貯留された原水を浄化するための浄水カートリッジ９を保持する保持部４が設けられている。なお、本実施形態においては、保持部４が浄水カートリッジ９を保持した形態を例として説明する。
【００１３】
本体部３において、原水貯留部１の下に位置する底側は、原水貯留部１から浄水カートリッジ９を通過して浄化された浄水が貯留される貯留部２になっている。本体部３の上側の端部には、本体部３に格納された水を流出させる注ぎ口６が設けられている。本体部３の上部は、原水貯留部１の脱着及び水の出し入れが可能なように開口しており、蓋５により覆われている。
【００１４】
液体格納容器１０を用いて原水を浄化するとき、蓋５を開けて原水貯留部１内に原水を格納する。原水貯留部１に格納された原水は、保持部４に保持された浄水カートリッジ９に流入し、浄水カートリッジ９内を通過しながら浄化されて浄水となって貯留部２に向かって流出し、貯留部２内に貯留する。貯留部２内に貯留した浄水は、注ぎ口６から他の容器に注ぐ等して利用される。
【００１５】
このように、液体格納容器１０は、浄水カートリッジ９内を通過させることで原水を浄化し、浄化された浄水を貯留部２に貯留する。したがって、原水が浄化されて所望の量の浄水が溜まるまでに一定の時間を要し、その間にユーザは他の作業に従事することができる。液体格納容器１０は、このような原水の浄化時間を呈示する機能を有する呈示部を備えている。
【００１６】
呈示部は、浄水カートリッジ９を通過した浄水の量に応じた浄化時間を呈示する。したがって、ユーザが時計等を確認することなく、原水が浄化されている間の経過時間を液体格納容器１０の浄水量から把握することができる。なお、呈示部は、浄水カートリッジ９を通過した浄水の量に応じた浄化時間を示す目盛りであってもよく、このような目盛りが貯留部２部分に予め記載されていてもよいし、貯留部２内に浄水が貯留されることにより、目盛りが浮き上がるように構成されていてもよい。
【００１７】
本実施形態において、呈示部は、本体部３の底に設けられた仕切り板７である。仕切り板７は、貯留部２の空間を領域８ａ及び領域８ｂの２つの領域に仕切る。仕切り板７は、本体部３の底から立ち上がり、本体部３の対向する側壁のそれぞれに接続する壁のように設けられている。保持部４は、浄水カートリッジ９を通過した浄水を貯留部２に流出させる流出口（図示せず）を有している。保持部４は、この流出口から、複数の領域のいずれか、すなわち領域８ａ及び領域８ｂのいずれかに向けて浄水を流出させる位置に設けられている。
【００１８】
例えば、保持部４の流出口から領域８ａに向けて浄水が流出するようになっていれば、まず、領域８ａに浄水が貯留され、領域８ａが浄水で満たされると、領域８ａからあふれた浄水が、仕切り板７を超えて隣接する他の領域である領域８ｂに流入する。そして、今度は領域８ｂに浄水が貯留されるようになる。このように、領域８ａ及び領域８ｂに順に浄水が流入して貯留するようになっている。
【００１９】
したがって、各領域が浄水で満たされる時間が分かっていれば、浄水の貯留状態を確認するのみで、原水の浄化が始まってからその時点までの時間を知ることができる。例えば、領域８ａ及び領域８ｂのそれぞれに浄水が満たされる時間が４５秒だとすると、領域８ａが浄水で満たされた時点で、原水の浄化が始まってから４５秒経過したことが確認できる。すなわち、２つの領域のうちの一方が満たされることで、４５秒経過したことが確認できる。
【００２０】
その後、領域８ｂが浄水で満たされた時点で、原水の浄化が始まってから９０秒経過したことが確認できる。すなわち、２つの領域の両方が満たされることで、９０秒経過したことが確認できる。また、領域８ｂが浄水で満たされた時点では、領域８ａが浄水で満たされてから４５秒経過したことも確認できる。なお、原水の浄化開始時点は、原水貯留部１に原水を注いだ時点と概ね一致する。
【００２１】
このように貯留部２が仕切りにより複数の区画に分けられ、浄水カートリッジ９がそのうちの１の区画の上部に配され、浄水カートリッジ９を通過した浄水が先ず１の区画に貯留され、浄水が１の区画の仕切り上限に達すると仕切りを越えて、次の区画に流出するので、どの区画にどのくらい浄水が貯留されているかにより、経過時間を把握することができる。すなわち、仕切り板７で貯留部２の空間を複数の領域に仕切ることで、各領域を満たす浄水の量及び浄水が満たされた前記領域の数に応じた浄化時間を呈示することができる。なお、浄化時間がより明確になるように、各領域にその領域が浄水で満たされるのに要する時間を表示させるようになっていてもよい。
【００２２】
仕切り板７の設置位置は、貯留部２を所望の大きさに仕切る位置であればよく、すなわち、各領域に浄水が満たされる時間が所望の時間となるような位置であればよい。また、仕切り板７により仕切られる領域８ａと領域８ｂとは、同じ大きさでなくてもよく、すなわち、それぞれが同じ時間を提示しなくてもよい。また、仕切り板７の高さは、各領域に浄水が満たされる時間が所望の時間となるような高さであればよい。
【００２３】
仕切り板７は、一方の領域内に浄水が満たされる前に他の領域に水が流出されないように、水を堰き止めることができる構成であればよく、例えば、本体部３と同一の材料により形成された板状体であってもよい。また、仕切り板７の厚みは、水を堰き止めることができるような厚みであればよいが、厚くなり過ぎると、貯留部２の容量が減ってしまうため好ましくない。
【００２４】
仕切り板７は、本体部３の底に垂直に設けられていることが好ましい。これにより、仕切り板７および本体部３の底分の清掃が容易である。
【００２５】
また、仕切り板７は、設置位置を変更可能なように設けられていることが好ましい。これにより、各領域に浄水が満たされる時間が所望の時間となるような位置に、仕切り板７を適宜移動させ、計測時間を調整することができる。例えば、仕切り板７の固定具が本体部３の底の複数の位置に設けられていれば、所望の位置の留め具に仕切り板７を固定するのみで、所望の位置に仕切り板７を移動させることができる。
【００２６】
なお、呈示部は、浄水カートリッジ９を通過した浄水の量に応じた浄化時間を呈示するため、浄水カートリッジ９として、原水の浄化速度が一定のものを用いる。浄水カートリッジ９として、例えば、粒状の活性炭をフィルターとして用いるものであれば、浄化速度が温度等の環境変化の影響を受けにくいため、好ましい。
【００２７】
上述したように、液体格納容器１０は、浄水カートリッジ９を通過した浄水の量に応じた浄化時間を呈示する呈示部を備えているので、原水を浄化させる間にユーザが他の作業に従事するような場合に、時計等を確認することなく、その作業に要した時間を知ることができる。また、浄水の量に応じた時間が呈示されるので、時計を読めない子供や、小さな数字が読みにくい老人であっても、容易に時間を知ることができる。また、時間を算出する必要もない。
【００２８】
したがって、例えば、原水を浄化させる間に歯磨きをすれば、呈示部に呈示される浄化時間を歯磨き時間の目安とすることができる。そして、歯磨き後には、歯磨き中に浄化された浄水を使ってうがいすることができるため、時間の計測に用いた浄水を有効利用することが可能である。さらに、本実施形態に係る液体格納容器１０は、仕切り板７により貯留部２を複数の領域に仕切っているため、例えば領域８ａが浄水で満たされる間は上の歯を磨き、領域８ｂが浄水で満たされる間は下の歯を磨く、というように利用することもできる。
【００２９】
また、例えば、原水を浄化させる間に米とぎをすれば、呈示部に呈示される浄化時間を米とぎ時間の目安とすることができる。そして、米とぎ中に浄化された浄水を、炊飯に有効利用することができる。
【００３０】
なお、液体格納容器１０を歯磨きに利用する場合には、浄水の量はうがいに必要な量であればよいため、液体格納容器１０を２〜３００ｍＬ程度の浄水が貯留されるような大きさとし、ユーザ毎に固有の液体格納容器１０を保有する（マイボトル）ようにしてもよい。また、液体格納容器１０を米とぎに利用する場合には、浄水の量は炊飯に必要な量であることが好ましいため、液体格納容器１０は、上述した歯磨き用のものよりも多くの量の浄水を貯留できるような大きさにすることが好ましい。
【００３１】
＜変形例１＞
一変形例では、図２中（ａ）に示すように、液体格納容器１０は、２つの仕切り板（仕切り板２１及び仕切り板２２）を備えている。図２は、変形例の液体格納容器１０の概略を示す模式図である。
【００３２】
仕切り板２１及び仕切り板２２はそれぞれ、仕切り板７と同様に、本体部３の底に、本体部３の対向する側壁のそれぞれに接続するように設けられている。仕切り板２１と仕切り板２２とは互いに平行に設けられており、貯留部２の空間を、仕切り板２１と本体部３の側壁との間の領域２４ａ、仕切り板２１と仕切り板２２との間の領域２４ｂ、及び、仕切り板２２と本体部３の側壁との間の領域２４ｃに仕切る。
【００３３】
保持部４の流出口からの浄水が、図２中（ｂ）の矢印に示すように、領域２４ａに向けて流出するようになっていれば、まず、領域２４ａに浄水が貯留され、領域２４ａが浄水で満たされると、領域２４ａからあふれた浄水が、仕切り板２１を超えて、領域２４ｂに流入する。そして、領域２４ｂが浄水で満たされると、領域２４ｂからあふれた浄水が、仕切り板２２を超えて、隣接する領域２４ｃに流入する。このように、図２中（ｂ）に丸付き数字で示す順に、各領域が浄水で満たされる。
【００３４】
このように、仕切り板の数を増やすことで、貯留部２の空間をより多くの領域に仕切ることができる。したがって、例えば、図２中（ｃ）に示すように、さらに仕切り板２３を備えることで、領域２４ａ、領域２４ｂ、領域２４ｃ、及び領域２４ｄの４つの領域に貯留部２の空間を仕切ってもよい。すなわち、仕切り板の数をさらに多く増やし、貯留部２の空間をさらに多くの領域に仕切った形態も、本発明の範疇に含まれる。
【００３５】
＜変形例２＞
他の変形例では、図３中（ａ）に示すように、液体格納容器１０は、５つの仕切り板（仕切り板３１、仕切り板３２、仕切り板３３、仕切り板３４、及び仕切り板３５）を備えている。図３は、変形例の液体格納容器１０の概略を示す模式図である。
【００３６】
仕切り板３３は、本体部３の対角線上に設けられ、本体部３の１つの角とこれに対向する角とに接続するように設けられている。そして、仕切り板３１、仕切り板３２、仕切り板３４、及び仕切り板３５は、仕切り板３３に平行に、本体部３の側壁の１つとこれに隣接する側壁とに接続するように設けられている。すなわち、これらの仕切り板は、本体部３の側壁に対して、斜めに設けられている。貯留部２の空間は、これらの仕切り板と本体部３の側壁との間の、領域３６ａ、領域３６ｂ、領域３６ｃ、領域３６ｄ、領域３６ｅ、及び領域３６ｆに仕切られている。
【００３７】
図３中（ａ）の矢印に示すように、保持部４の流出口からの浄水が領域３６ａに向けて流出するようになっていれば、領域３６ａから順に、隣接する領域３６ｂ、領域３６ｃ、領域３６ｄ、領域３６ｅ、領域３６ｆへと、図３中（ｂ）に示す丸付き数字の順に、各領域が浄水で満たされる。
【００３８】
このように、仕切り板は、本体部３の対角線上に、複数設けられていてもよい。また、本体部３の対角線上に設けられた仕切り板３３に平行に、さらに多くの仕切り板を備え、貯留部２の空間をさらに多くの領域に仕切った形態も、本発明の範疇に含まれる。
【００３９】
また、仕切り板３１〜仕切り板３５の高さは、同一であってもよいし、仕切り板３１から仕切り板３５へと順に高さが低くなるように設けられていてもよい。さらに、領域３６ａ〜領域３６ｆのそれぞれに収容される浄水の量が同一となるように、仕切り板３１〜仕切り板３５のそれぞれの間隔を異ならせてもよい。
【００４０】
〔実施形態２〕
本発明に係る液体格納容器の他の実施形態について、図４及び５を参照して以下説明する。図４は、本発明の実施形態２に係る液体格納容器の概略を示す模式図であり、図５は、本発明の実施形態２に係る液体格納容器に設けられた仕切り板を説明する模式図である。なお、説明の便宜上、前記実施形態にて説明した部材と同じ機能を有する部材については、同じ符号を付記し、その説明を省略する。
【００４１】
図４及び５に示すように、液体格納容器４０は、高さの異なる３つの仕切り板を備えている点において、実施形態１の液体格納容器１０と異なっている。
【００４２】
３つの仕切り板の内で最も高さが高い仕切り板４１は、その一端が、より高さの低い仕切り板４２の一端に接続されており、３つの仕切り板の内で最も高さの低い仕切り板４３は、その一端が、仕切り板４１と仕切り板４２との接続部分に接続されている。すなわち、図５中（ａ）に示すように、３つの仕切り板が、Ｔ字を形成するように接続されている。そして、３つの仕切り板のそれぞれにおいて、他の仕切り板に接続されていない端部が、それぞれ本体部３の側壁に接続されるように設けられている。液体格納容器４０において、貯留部２の空間は、Ｔ字状に接続された仕切り板４１、仕切り板４２、及び仕切り板４３により、領域４４ａ、領域４４ｂ、及び領域４４ｃの複数の領域に仕切られている。
【００４３】
保持部４の流出口からの浄水が、図５中（ｂ）の矢印に示すように、領域４４ａに向けて流出するようになっていれば、まず、領域４４ａに浄水が貯留され、領域４４ａが浄水で満たされると、領域４４ａからあふれた浄水が、仕切り板４１よりも高さの低い仕切り板４２を超えて、領域４４ｂに流入する。そして、領域４４ｂが浄水で満たされると、領域４４ｂからあふれた浄水が、仕切り板４２よりも高さの低い仕切り板４３を超えて、隣接する領域４４ｃに流入する。このように、図５中（ｂ）に丸付き数字で示す順に、各領域が浄水で満たされる。
【００４４】
同様に、保持部４の流出口からの浄水が、図５中（ｃ）の矢印に示すように、領域４４ｃに向けて流出するようになっていれば、まず領域４４ｃ、次に領域４４ｂ、最後に領域４４ａというように、丸付き数字で示す順に各領域が浄水で満たされる。なお、保持部４の流出口から浄水を流出させる向きは、保持部４の位置を変更させることで、変更することができる。
【００４５】
このように、１つの領域が浄水で満たされた場合、その領域を囲む仕切り板の内、高さの低い仕切り板側から当該仕切り板を挟んで隣接する領域に浄水が流出する。したがって、高さの異なる複数の仕切り板を用いることにより、各領域が浄水で満たされる順を所望の通り調整することができる。
【００４６】
＜変形例１＞
一変形例では、図６中（ａ）及び（ｂ）に示すように、液体格納容器４０は、他の仕切り板（仕切り板６１）に垂直な２つの仕切り板（仕切り板６２及び仕切り板６３）を備えている。図６は、変形例の液体格納容器４０の概略を示す模式図である。
【００４７】
仕切り板６２及び仕切り板６３は、本体部３の側壁間に伸びる仕切り板６１に垂直に、仕切り板６１からこれに平行な本体部３の側壁まで伸びるように設けられている。仕切り板６２と仕切り板６３とは、互いに平行に設けられている。なお、仕切り板６１は、高さの最も高い位置、中間の高さの位置、及び、高さの最も低い位置を有する階段状の部分を有する１枚の板状体であるが、高さの最も高い仕切り板と、これより高さの低い仕切り板と、高さの最も低い仕切り板とを連結したものであってもよい。
【００４８】
仕切り板６２は、仕切り板６１の中間の高さの位置と同じ高さであり、仕切り板６１の最も高い位置と中間の高さの位置との間に接続されている。仕切り板６３は、仕切り板６１の最も低い位置と同じ高さであり、仕切り板６１の中間の高さの位置と最も低い位置との間に接続されている。貯留部２の空間は、これらの仕切り板により、領域６５ａ、領域６５ｂ、領域６５ｃ、及び領域６５ｄの複数の領域に仕切られている。
【００４９】
保持部４の流出口からの浄水が領域６５ａに向けて流出するようになっていれば、丸付き数字で示すように、領域６５ａから、仕切り板の高さの低い順に、隣接する領域６５ｂ、６５ｃ、６５ｄへと、各領域が浄水で満たされる。
【００５０】
このように、高さの異なる仕切り板の数を増やすことで、貯留部２の空間をより多くの領域に仕切り、各領域が浄水で満たされる順を所望の通り調整することができる。したがって、例えば、図６中（ｃ）及び（ｄ）に示すように、さらに仕切り板６４を備えることで、領域６５ａ、領域６５ｂ、領域６５ｃ、領域６５ｄ、及び領域６５ｅの５つの領域に貯留部２の空間を仕切ってもよい。すなわち、仕切り板６１に平行な仕切り板や、仕切り板６２に平行な仕切り板をさらに多く増やし、貯留部２の空間をさらに多くの領域に仕切った形態も、本発明の範疇に含まれる。
【００５１】
〔実施形態３〕
本発明に係る液体格納容器の他の実施形態について、図７及び８を参照して以下説明する。図７は、本発明の実施形態３に係る液体格納容器の概略を示す模式図であり、図８は、本発明の実施形態３に係る液体格納容器において仕切られた領域を説明する模式図である。なお、説明の便宜上、前記実施形態にて説明した部材と同じ機能を有する部材については、同じ符号を付記し、その説明を省略する。
【００５２】
図７及び８に示すように、液体格納容器７０は、貯留部２を上下方向にも仕切る点において、実施形態１の液体格納容器１０と異なっている。
【００５３】
液体格納容器７０において、仕切り板７１は、本体部３の底に設けられており、貯留部２の底側の空間を領域７１ａ及び７１ｂの２つの領域に仕切る。仕切り板７１は、本体部３の対向する側壁のそれぞれに接続するように設けられている。
【００５４】
仕切り板７２は、貯留部２の空間を、領域７１ａ及び領域７１ｂが存在する下側の領域と、領域７２ａ及び領域７２ｂが存在する上側の領域とに、仕切る。また、仕切り板７２は、貯留部２の上側の空間を、領域７２ａ及び領域７２ｂの２つの領域に仕切る。仕切り板７２は、本体部３の底に平行な面と、本体部３の側壁に平行な面とを有し、これらの面がＬ字状に連結されている。Ｌ字状の仕切り板７２は、本体部３の側壁に設けられており、本体部３の底に平行な面が領域７１ｂの上を覆い、領域７１ａの上部が開口した連通部７３を形成するように設けられている。すなわち、上側の領域と下側の領域との間の少なくとも一部が連通するように、仕切り板７２が設けられている。連通部７３により、領域７１ａと領域７２ａとの間で浄水の通過が可能となる。
【００５５】
したがって、保持部４の流出口からの浄水が、図８中（ａ）に示すように、領域７２ａに向けて流出するようになっていれば、まず、連通部７３を通過した浄水が領域７１ａに貯留され、領域７１ａが浄水で満たされると、領域７１ａからあふれた浄水が、仕切り板７１を超えて、隣接する領域７１ｂに流入する。そして、領域７１ｂが浄水で満たされると、領域７１ａ及び領域７１ｂからあふれた浄水が、連通部７３を通過して領域７２ａに流入する。次に、領域７２ａが浄水で満たされると、領域７２ａからあふれた浄水が、仕切り板７２の本体部３の側壁に平行な面を超えて領域７２ｂに流入する。このように、図８中（ｂ）に丸付き数字で示す順に、各領域が浄水で満たされる。
【００５６】
同様に、保持部４の流出口からの浄水が、図８中（ｂ）に示すように、領域７２ｂに向けて流出するようになっていれば、まず、領域７２ｂに浄水が貯留され、領域７２ｂが浄水で満たされると、領域７２ｂからあふれた浄水が、仕切り板７２の本体部３の側壁に平行な面を超え、さらに連通部７３を通過して、領域７１ａに流入する。その後、領域７１ａから、領域７１ｂへ、さらに領域７２ａへと、図８中（ｂ）に丸付き数字で示す順に各領域が浄水で満たされる。
【００５７】
このように、貯留部２の空間を上下方向に仕切る仕切り板を備えることで、より多様に領域を仕切ることができる。なお、仕切り板をさらに横方向に増やして、さらに多くの領域に仕切ることができることは、上述した他の実施形態と同様である。
【００５８】
例えば、液体格納容器７０を用いて原水を浄化させる間に歯磨きする場合には、４つの領域をそれぞれ口腔内の４箇所の歯磨き箇所とリンクさせるように、本体部３の外壁に口腔内を表す画像を付してもよい。これにより、例えば、領域７１ａが浄水で満たされる間に右下の歯を磨き、領域７１ｂが浄水で満たされる間に左下の歯を磨き、領域７２ａが浄水で満たされる間に右上の歯を磨き、領域７２ｂが浄水で満たされる間に左上の歯を磨くように、ユーザを誘導することができる。そして、各領域が浄水で満たされる時間を、例えば４５秒とすれば、全ての領域が浄水で満たされる３分間、均等に歯を磨くように歯磨きのアシストをすることができる。その結果、歯の磨き残しを防いだり、歯磨きに飽きてよそ見することを防いだりといった効果も期待できる。
【００５９】
＜変形例１＞
一変形例では、液体格納容器７０は、貯留部２の空間を仕切り板により仕切る構成に変えて、下側の領域を有するケースに、上側の領域を有するケースを積み重ねて貯留部２を形成し、連結部分の一部に連通部を設けて下側の領域と上側の領域とで浄水の通過が可能なように構成してもよい。この場合、２つのケースを連結した上に、原水貯留部１及び保持部４をさらに連結することで、液体格納容器７０を形成する。
【００６０】
このように、着脱可能なケースにより、貯留部の空間を仕切り、これらを連結して貯留部を形成することで、貯留部の清掃が容易である。
【００６１】
＜変形例２＞
他の変形例では、図９及び図１０に示すように、液体格納容器７０は、さらに仕切り板９１、仕切り板９２及び仕切り板９３を備えている。図９は、本発明の実施形態３に係る液体格納容器７０の他の変形例の概略を示す模式図であり、図１０は、他の変形例の液体格納容器７０において仕切られた領域を説明する模式図である。
【００６２】
仕切り板９１は、貯留部２の底側の空間を領域９１ａ及び領域９１ｂの２つの領域に仕切る。仕切り板９１は、本体部３の対向する側壁のそれぞれに接続するように設けられている。
【００６３】
仕切り板９２は、貯留部２の空間を、領域９１ａ及び領域９１ｂが存在する下側の領域と、領域９２ａ及び領域９２ｂが存在する真ん中の領域とに、上下方向に仕切る。また、仕切り板９２は、貯留部２の真ん中の空間を、領域９２ａ及び領域９２ｂの２つの領域に仕切る。仕切り板９２は、本体部３の底に平行な面と、本体部３の側壁に平行な面とを有し、これらの面がＬ字状に連結されている。Ｌ字状の仕切り板９２は、本体部３の側壁に設けられており、本体部３の底に平行な面が領域９１ｂの上を覆い、領域９１ａの上部が開口した連通部９４を形成するように設けられている。
【００６４】
仕切り板９３は、貯留部２の空間を、領域９２ａ及び領域９２ｂが存在する真ん中の領域と、領域９２ａ及び領域９２ｂが存在する上側の領域とに、上下方向に仕切る。また、仕切り板９３は、貯留部２の上側の空間を、領域９３ａ及び領域９３ｂの２つの領域に仕切る。仕切り板９３は、本体部３の底に平行な面と、本体部３の側壁に平行な面とを有し、これらの面がＬ字状に連結されている。Ｌ字状の仕切り板９３は、本体部３の側壁に設けられており、本体部３の底に平行な面が領域９２ｂの上を覆い、領域９２ａの上部が開口した連通部９５を形成するように設けられている。
【００６５】
このように仕切り板を設けることで、連通部９４及び連通部９５により、領域９１ａ、領域９２ａ及び領域９３ａ間で浄水の通過が可能となる。
【００６６】
したがって、図１０に示すように、保持部４の流出口からの浄水が、領域９３ａに向けて流出するようになっていれば、まず、連通部９４及び連通部９５を通過した浄水が領域９１ａに貯留され、領域９１ａが浄水で満たされると、領域９１ａからあふれた浄水が、仕切り板９１を超えて、隣接する領域９１ｂに流入する。そして、領域９１ｂが浄水で満たされると、領域９１ａ及び領域９１ｂからあふれた浄水が、連通部９４を通過して領域９２ａに流入する。次に、領域９２ａが浄水で満たされると、領域９２ａからあふれた浄水が、仕切り板９２の本体部３の側壁に平行な面を超えて領域９２ｂに流入する。さらに、領域９２ｂが浄水で満たされると、領域９２ａ及び９２ｂからあふれた浄水が、連通部９５を通過して領域９３ａに流入する。次に、領域９３ａが浄水で満たされると、領域９３ａからあふれた浄水が、仕切り板９３の本体部３の側壁に平行な面を超えて領域９３ｂに流入する。このように、図１０に丸付き数字で示す順に、各領域が浄水で満たされる。なお、各領域が浄水で満たされる順は、保持部４の位置を移動させたり、連通部の位置を移動させたりすることで、調整することができる。
【００６７】
このように、貯留部２の空間を上下方向に仕切る仕切り板を増やせば、より多くの領域を仕切ることができる。すなわち、仕切り板９２及び仕切り板９３と同様の仕切り板を、さらに多く増やし、貯留部２の空間を上下方向にさらに多くの領域に仕切った形態も、本発明の範疇に含まれる。さらに、上述した変形例のように、下側の領域を有するケースと、真ん中の領域を有するケースと、上側の領域を有するケースとを連結して貯留部２を形成し、連結部分の一部に連通部を設けて上下方向の各領域間で浄水の通過が可能なように構成してもよい。この場合、同様のケースをさらに多く上下方向に連結することで、貯留部２の空間をさらに多くの領域に仕切ることができる。
【００６８】
〔実施形態４〕
本発明に係る液体格納容器の他の実施形態について、図１１を参照して以下説明する。図１１は、本発明の実施形態４に係る液体格納容器の概略を示す模式図である。なお、説明の便宜上、前記実施形態にて説明した部材と同じ機能を有する部材については、同じ符号を付記し、その説明を省略する。
【００６９】
図１１に示すように、液体格納容器１１０は、カップ１１１をさらに備えている点において、実施形態３の液体格納容器７０と異なっている。
【００７０】
カップ１１１は、本体部３を覆いかぶさることで、本体部３上に保持されている。したがって、カップ１１１の外周は、本体部３の外周よりも大きくなっている。液体格納容器１１０を使用するとき、ユーザは、まずカップ１１１を持ち上げて本体部３上から取り除き、原水貯留部１に原水を注ぐ。そして、原水の浄化が終了すれば、貯留部２に貯留する浄水をカップ１１１に注ぎ、カップ１１１を用いてうがい等で浄水を利用する。
【００７１】
また、カップ１１１は、原水を原水貯留部１に注ぐために用いてもよい。カップ１１１には、原水貯留部１に注ぐ原水の量を示す目盛り１１２が設けられている。したがって、ユーザは、目盛り１１２まで原水をカップ１１１に注ぎ、そのカップ１１１から原水貯留部１に原水を注げば、所望の量の原水を原水貯留部１に注ぐことができる。カップ１１１の容量は、原水貯留部１の容量と同一か、これより多くなっていることが好ましい。
【００７２】
このように、カップ１１１を備えることで、原水貯留部１への原水の格納と、貯留部２に貯留された浄水の利用とがより容易である。
【００７３】
〔実施形態５〕
本発明に係る液体格納容器の他の実施形態について、図１２を参照して以下説明する。図１２は、本発明の実施形態５に係る液体格納容器の概略を示す模式図である。なお、説明の便宜上、前記実施形態にて説明した部材と同じ機能を有する部材については、同じ符号を付記し、その説明を省略する。
【００７４】
図１２に示すように、液体格納容器１２０は、複数の貯留部１２２〜１２５を連結して備えている点において、実施形態１の液体格納容器１０と異なっている。
【００７５】
貯留部１２２は、液体格納容器１２０の最も下側に位置し、その上に位置する貯留部１２３との間で浄水の通過が可能なように連結されている。貯留部１２２と貯留部１２３との連結部は、貯留部１２２及び貯留部１２３の他の部分よりも内径が短くなっており、貯留部１２２と貯留部１２３との境界が外観から容易に確認できる。そして同様に、貯留部１２４は貯留部１２３の上に、また、貯留部１２５は貯留部１２４の上に浄水の通過が可能なように連結されている。
【００７６】
保持部４の流出口からの浄水は、貯留部１２５、貯留部１２４及び貯留部１２３を順に通過して貯留部１２２に流入し、まず貯留部１２２に貯留される。貯留部１２２が浄水で満たされると、貯留部１２２からあふれた浄水は、貯留部１２２と貯留部１２３との連結部から貯留部１２３に流入する。このように、保持部４の流出口からの浄水は、貯留部１２２、貯留部１２３、貯留部１２４、貯留部１２５の順に貯留される。
【００７７】
したがって、例えば、各貯留部に浄水が満たされる時間がそれぞれ４５秒だとすると、貯留部１２２が浄水で満たされた時点で４５秒、次に貯留部１２３が浄水で満たされた時点で４５秒、さらに貯留部１２４が浄水で満たされた時点で４５秒、最後に貯留部１２５が浄水で満たされた時点で４５秒のように、原水の浄化が始まってからの時間を確認することができる。そして、各貯留部に貯留された浄水は、保持部４上に保持されているカップ１２１に注いだりすることによって利用することができる。
【００７８】
このように、液体格納容器１２０は、複数の貯留部を有しており、各貯留部間の境界が外観から容易に確認できるようになっているので、経過時間を把握するために、目盛を読んだりする必要がなく、より容易に経過時間を確認することができる。
［浄水器］
本発明に係る浄水器は、上述した本発明に係る液体格納容器のいずれかと、液体格納容器の蓋と、液体格納容器の保持部に保持された浄水カートリッジとを備えている。本発明に係る浄水器によれば、本発明に係る液体格納容器と同様の効果を奏する。
【００７９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００８０】
［付記事項］
以上のように、本発明に係る液体格納容器は、本体部と、前記本体部の上部側に位置するように前記本体部内に嵌め込まれ、浄化する前の原水を貯留する原水貯留部と、前記原水貯留部の底に設けられ、前記原水を浄化するための浄水カートリッジを保持する保持部と、前記浄水カートリッジを通過した浄水の量に応じた浄化時間を呈示する呈示部とを備えている。
【００８１】
また、本発明に係る液体格納容器は、前記本体部において、前記原水貯留部の下に位置する底側は、前記原水貯留部から前記浄水カートリッジを通過して浄化された浄水が貯留される貯留部となっており、前記呈示部は、前記貯留部の空間を複数の領域に仕切る仕切り板であり、前記保持部は、前記浄水カートリッジを通過した浄水を前記貯留部に流出させる流出口を有しており、当該流出口から、いずれか１つの前記領域に向けて浄水を流出させる位置に配置されていることが好ましい。
【００８２】
さらに、本発明に係る液体格納容器において、前記仕切り板は、前記本体部の底に垂直に設けられていることが好ましい。
【００８３】
また、本発明に係る液体格納容器は、高さの異なる複数の前記仕切り板を有していることが好ましい。
【００８４】
さらに、本発明に係る液体格納容器において、前記仕切り板は、前記貯留部の空間を上下方向に複数の領域に仕切り、上側の前記領域と下側の前記領域との間で浄水を通過させる連通部を形成するように設けられていることが好ましい。
【００８５】
また、本発明に係る液体格納容器において、前記仕切り板は、設置位置を変更可能なように設けられていることを特徴とする請求項２〜５の何れか１項に記載の液体格納容器。
【００８６】
さらに、本発明に係る液体格納容器は、前記本体部の上部を覆うカップをさらに備えていることが好ましい。
【００８７】
また、本発明に係る液体格納容器は、前記カップに、水を計量する目盛りが設けられていることが好ましい。
【００８８】
さらに、本発明に係る液体格納容器において、前記呈示部は、前記浄水カートリッジを通過した浄水の量に応じた浄化時間を示す目盛りであることが好ましい。
【００８９】
また、本発明に係る液体格納容器と、前記液体格納容器の蓋と、前記保持部に保持された浄水カートリッジとを備えた浄水器も、本発明に含まれる。
【産業上の利用可能性】
【００９０】
本発明は、浄水カートリッジ付きのポット、ピッチャー、コップ等の液体格納容器として利用することができる。
【符号の説明】
【００９１】
１    原水貯留部
２    貯留部
３    本体部
４    保持部
７    仕切り板（呈示部）
８ａ  領域
８ｂ  領域
９    浄水カートリッジ
１０  液体格納容器
【図１】
2020032374.tif 000003
【図２】
2020032374.tif 000004
【図３】
2020032374.tif 000005
【図４】
2020032374.tif 000006
【図５】
2020032374.tif 000007
【図６】
2020032374.tif 000008
【図７】
2020032374.tif 000009
【図８】
2020032374.tif 000010
【図９】
2020032374.tif 000011
【図１０】
2020032374.tif 000012
【図１１】
2020032374.tif 000013
【図１２】
2020032374.tif 000014